(57)【要約】      （修正有）【課題】耐震性が高く、崩落した場合であっても被害が少なく、かつ高い意匠性を確保できるライン型天井構造体を提供する。【解決手段】照明器具４１、複数の第１及び第２の天井支持部材１１、２１、並びに尺長天井板３１を具備しており、照明器具４１が、第１の天井支持部材１１に沿って設置されており、第１の天井支持部材１１が、部屋側に露出して部屋側で尺長天井板３１を係止する第１の露出係止部１１ａを有し照明器具４１と互いに略平行に配置されており、第２の天井支持部材２１が、部屋側に露出して部屋側で尺長天井板３１を係止する第２の露出係止部２１ａを有し第１の天井支持部材１１と略直交して配置されており、隣接する２つの第１の天井支持部材１１と隣接する２つの第２の天井支持部材２１とによって囲まれた尺長領域を形成しており、尺長天井板３１が、グラスウール尺長天井板であり尺長領域に支持されているライン型天井構造体。【選択図】図１
2015187341.tif 000002
【特許請求の範囲】
【請求項１】
照明器具、それぞれ略平行に並んでいる複数の第１及び第２の天井支持部材、並びに尺長天井板を具備しているライン型天井構造体であって、
前記照明器具が、前記第１の天井支持部材に沿って設置されており、
前記第１の天井支持部材が、部屋側に露出して部屋側で前記尺長天井板を係止する第１の露出係止部を有し、かつ前記照明器具と互いに略平行に配置されており、
前記第２の天井支持部材が、部屋側に露出して部屋側で前記尺長天井板を係止する第２の露出係止部を有し、かつ前記第１の天井支持部材と略直交して配置されており、それにより隣接する２つの前記第１の天井支持部材と隣接する２つの前記第２の天井支持部材とによって囲まれた、前記第１の天井支持部材側を短辺とする尺長領域を形成しており、
前記尺長天井板が、グラスウール尺長天井板であり、かつ前記第１及び第２の露出係止部によって、前記尺長領域に支持されており、
前記尺長領域の短辺と長辺との比が、１：１．１〜１：１０であり、
前記第２の露出係止部の幅と第１の露出係止部の幅との比が、１：１．１〜１：１０で
ある、
ライン型天井構造体。
【請求項２】
前記尺長領域の短辺と長辺との比が、１：１．５〜１：５であり、
前記第２の露出係止部の幅と第１の露出係止部の幅との比が、１：１．５〜１：５である、
請求項１に記載のライン型天井構造体。
【請求項３】
前記尺長領域の短辺の長さが、３００ｍｍ〜１５００ｍｍであり、かつ
前記第２の露出係止部の幅が、６ｍｍ〜３０ｍｍである、
請求項１に記載のライン型天井構造体。
【請求項４】
照明器具、それぞれ略平行に並んでいる複数の第１及び第２の天井支持部材、並びに尺長天井板を具備しているライン型天井構造体であって、
前記照明器具が、前記第１の天井支持部材に沿って設置されており、
前記第１の天井支持部材が、部屋側に露出して部屋側で前記尺長天井板を係止する第１の露出係止部を有し、かつ前記照明器具と互いに略平行に配置されており、
前記第２の天井支持部材が、部屋側に露出して部屋側で前記尺長天井板を係止する第２の露出係止部を有し、かつ前記第１の天井支持部材と略直交して配置されており、それにより隣接する２つの前記第１の天井支持部材と隣接する２つの前記第２の天井支持部材とによって囲まれた、前記第１の天井支持部材側を短辺とする尺長領域を形成しており、
前記尺長天井板が、グラスウール尺長天井板であり、かつ前記第１及び第２の露出係止部によって、前記尺長領域に支持されており、
前記尺長領域の短辺及び長辺の長さは、それぞれ３００ｍｍ〜１４００ｍｍ及び１２００ｍｍ〜５０００ｍｍの範囲から長辺が長くなるように選択され、かつ
前記第２及び第１の露出係止部の幅がそれぞれ、６ｍｍ〜１９ｍｍ及び２０ｍｍ〜５０ｍｍである、
ライン型天井構造体。
【請求項５】
前記尺長領域の短辺及び長辺の長さがそれぞれ、５００ｍｍ〜１４００ｍｍ及び１５００ｍｍ〜４０００ｍｍであり、かつ
前記第２及び第１の露出係止部の幅がそれぞれ、１０ｍｍ〜１９ｍｍ及び２０ｍｍ〜４０ｍｍである、
請求項４に記載のライン型天井構造体。
【請求項６】
前記第１及び第２の天井支持部材が、前記尺長天井板を突き刺して固定できる突刺固定部をさらに有する、請求項１〜５のいずれか一項に記載のライン型天井構造体。
【請求項７】
前記尺長天井板のグラスウール密度が、３０ｋｇ／ｍ３〜１００ｋｇ／ｍ３である、請求項１〜６のいずれか一項に記載のライン型天井構造体。
【請求項８】
吊りボルト、ブレース材、及びこれらの連結具を更に具備している、請求項１〜７のいずれか一項に記載のライン型天井構造体。
【請求項９】
前記ブレース材を、１８ｍ２／組〜２５ｍ２／組で有する、請求項１〜８のいずれか一項に記載のライン型天井構造体。
【請求項１０】
２．２Ｇの水平震度に対して前記尺長天井板が崩落しない、請求項９に記載のライン型天井構造体。
【発明の詳細な説明】
【技術分野】
【０００１】
本発明は、ライン型天井構造体に関する。より詳しくは、本発明は、耐震性が高く、仮に崩落した場合であっても被害が少なく、かつ高い意匠性を確保できるライン型天井構造体に関する。
【背景技術】
【０００２】
オフィスビル等に設置される天井構造体は、照明器具、天井板、並びにそれらを支持している天井支持部材を具備している。この天井構造体は、照明器具等及び天井支持部材の配置の違いから、ライン型とグリッド型とに大きく分類されている。
【０００３】
ライン型天井構造体では、部屋側から見た概略図を図２（ａ）に、天井裏側から見た概略図を図２（ｂ）に示すように、第１の天井支持部材（１２）が互いに略平行に配置されており、照明器具等（４２）が第１の天井支持部材（１２）に沿って設置されており、第２の天井支持部材（２２）が第１の天井支持部材（１２）と略直交して配置されており、かつ第１及び第２の天井支持部材（１２、２２）で囲まれた尺長領域に尺長天井板（３２）を配置する。
【０００４】
天井構造体で用いられる天井板としては、石膏ボード、ロックウール天井板、グラスウール天井板等が挙げられるが、ライン型天井構造体のための尺長天井板としては、グラスウールは用いられず、ロックウールが主に用いられている。
【０００５】
また、ライン型天井構造体のための尺長天井板としてロックウールを使用する際には、第２の天井支持部材（２２）は、図４（ａ）のように、尺長天井板（３２）の側面に挿入されて天井板（３２）を係止する挿入係止部（２２ａ）を有している。このような挿入係止部（２２ａ）は、部屋側に露出せず、したがって図２（ａ）で示されるように、尺長天井板（３２）の間の境界（３２ａ）が目立たないので、意匠性の点で好ましいとされている。なお、グラスウール製の天井板では側面に溝を形成するのが困難であるので、このような挿入係止部を有する天井支持部材との組み合わせでは用いられていない。
【０００６】
これに対して、グリッド型天井構造体では、部屋側から見た概略図を図３（ａ）に、天井裏側から見た概略図を図３（ｂ）に示すように、第１の天井支持部材（１３）と第２の天井支持部材（２３）と略直交させて格子状に配置し、第１及び第２の天井支持部材で囲まれた格子状の領域に、天井板（３３）及び照明器具等（４３）を配置する。
【０００７】
グリッド型天井構造体においては、天井板としてロックウールと並んで、グラスウールが用いられることもある。
【０００８】
グリッド型天井構造体のための天井板としてグラスウールを使用する場合には、第１及び第２の天井支持部材（１３、２３）は、図４（ｂ）のように、部屋側に露出して部屋側で天井板（３３）を係止する露出係止部（１３ａ、２３ａ）を有している。図３（ａ）で示されるように、このような露出係止部（１３ａ、２３ａ）は、部屋側に露出し、したがって天井板（３３）の間に境界線として現れる。しかしながら、グリッド型天井構造体においては、このような天井の境界線は、格子状の模様として認識されて、意匠性に関してあまり問題視されていない。
【発明の概要】
【発明が解決しようとする課題】
【０００９】
本発明では、耐震性が高く、仮に崩落した場合であっても被害が少なく、かつ高い意匠性を確保できるライン型天井構造体を提供する。
【課題を解決するための手段】
【００１０】
上記課題を解決するために、本発明は以下の解決手段を採用する：
［１］  照明器具、それぞれ略平行に並んでいる複数の第１及び第２の天井支持部材、並びに尺長天井板を具備しているライン型天井構造体であって、
前記照明器具が、前記第１の天井支持部材に沿って設置されており、
前記第１の天井支持部材が、部屋側に露出して部屋側で前記尺長天井板を係止する第１の露出係止部を有し、かつ前記照明器具と互いに略平行に配置されており、
前記第２の天井支持部材が、部屋側に露出して部屋側で前記尺長天井板を係止する第２の露出係止部を有し、かつ前記第１の天井支持部材と略直交して配置されており、それにより隣接する２つの前記第１の天井支持部材と隣接する２つの前記第２の天井支持部材によって囲まれた、前記第１の天井支持部材側を短辺とする尺長領域を形成しており、
前記尺長天井板が、グラスウール尺長天井板であり、かつ前記第１及び第２の露出係止部によって、前記尺長領域に支持されており、
前記尺長領域の短辺と長辺との比が、１：１．１〜１：１０であり、
前記第２の露出係止部の幅と第１の露出係止部の幅との比が、１：１．１〜１：１０である、
ライン型天井構造体。
［２］  前記尺長領域の短辺と長辺との比が、１：１．５〜１：５であり、
前記第２の露出係止部の幅と第１の露出係止部の幅との比が、１：１．５〜１：５である、
前記［１］に記載のライン型天井構造体。
［３］  前記尺長領域の短辺の長さが、３００ｍｍ〜１５００ｍｍであり、かつ
前記第２の露出係止部の幅が、６ｍｍ〜３０ｍｍである、
前記［１］に記載のライン型天井構造体。
［４］  照明器具、それぞれ略平行に並んでいる複数の第１及び第２の天井支持部材、並びに尺長天井板を具備しているライン型天井構造体であって、
前記照明器具が、前記第１の天井支持部材に沿って設置されており、
前記第１の天井支持部材が、部屋側に露出して部屋側で前記尺長天井板を係止する第１の露出係止部を有し、かつ前記照明器具と互いに略平行に配置されており、
前記第２の天井支持部材が、部屋側に露出して部屋側で前記尺長天井板を係止する第２の露出係止部を有し、かつ前記第１の天井支持部材と略直交して配置されており、それにより隣接する２つの前記第１の天井支持部材と隣接する２つの前記第２の天井支持部材とによって囲まれた、前記第１の天井支持部材側を短辺とする尺長領域を形成しており、
前記尺長天井板が、グラスウール尺長天井板であり、かつ前記第１及び第２の露出係止部によって、前記尺長領域に支持されており、
前記尺長領域の短辺及び長辺の長さは、それぞれ３００ｍｍ〜１４００ｍｍ及び１２００ｍｍ〜５０００ｍｍの範囲から長辺が長くなるように選択され、かつ
前記第２及び第１の露出係止部の幅がそれぞれ、６ｍｍ〜１９ｍｍ及び２０ｍｍ〜５０ｍｍである、
ライン型天井構造体。
［５］  前記尺長領域の短辺及び長辺の長さがそれぞれ、５００ｍｍ〜１４００ｍｍ及び１５００ｍｍ〜４０００ｍｍであり、かつ
前記第２及び第１の露出係止部の幅がそれぞれ、１０ｍｍ〜１９ｍｍ及び２０ｍｍ〜４０ｍｍである、
前記［４］に記載のライン型天井構造体。
［６］  前記第１及び第２の天井支持部材が、前記尺長天井板を突き刺して固定できる突刺固定部をさらに有する、前記［１］〜［５］のいずれか一項に記載のライン型天井構造体。
［７］  前記尺長天井板のグラスウール密度が、３０ｋｇ／ｍ３〜１００ｋｇ／ｍ３である、前記［１］〜［６］のいずれか一項に記載のライン型天井構造体。
［８］  吊りボルト、ブレース材、及びこれらの連結具を更に具備している、前記［１］〜［７］のいずれか一項に記載のライン型天井構造体。
［９］  前記ブレース材を、１８ｍ２／組〜２５ｍ２／組で有する、前記［１］〜［８］のいずれか一項に記載のライン型天井構造体。
［１０］  ２．２Ｇの水平震度に対して前記尺長天井板が崩落しない、前記［９］に記載のライン型天井構造体。
【発明の効果】
【００１１】
本発明のライン型天井構造体によれば、耐震性が高く、仮に崩落した場合であっても被害が少なく、かつ高い意匠性を確保できる。
【図面の簡単な説明】
【００１２】
【図１】本発明のライン型天井構造体の概略図である。（ａ）は部屋側から見た図であり、（ｂ）は天井裏側から見た図である。
【図２】ロックウール天井板を用いた従来のライン型天井構造体の概略図である。（ａ）は部屋側から見た図であり、（ｂ）は天井裏側から見た図である。
【図３】従来のグリッド型天井構造体の概略図である。（ａ）は部屋側から見た図であり、（ｂ）は天井裏側から見た図である。
【図４】天井支持部材が天井板を支持する部分の断面図である。（ａ）は従来からのロックウール天井板を支持する場合であり、（ｂ）は本発明においてグラスウール天井板を支持する場合である。
【図５】本発明の天井構造体の揺れを示す概略図である。（ａ）は尺長天井板の長手方向の揺れを示しており、（ｂ）は尺長天井板の短手方向の揺れを示している。
【図６】本発明の好ましい実施態様で用いられる突刺固定部を示す概略図である。ここでは、突刺固定部を表示させるために手前側の天井板を省略して表示している。
【図７】吊りボルト、ブレース材、及びこれらの連結具を含む天井構造体の概略図である。
【発明を実施するための形態】
【００１３】
＜ライン型天井構造体＞
本発明のライン型天井構造体は、照明器具；第１及び第２の天井支持部材；並びに尺長天井板を含む。
【００１４】
（照明器具）
照明器具は、好ましくは一直線状に、複数列で並んで、かつ連続的に又は不連続的に配置されている。この照明器具は、第１の天井支持部材によって、天井構造体に沿って設置され固定されている。
【００１５】
（天井支持部材）
天井支持部材は、それぞれ略平行に並んでいる複数の第１の天井支持部材及び第２の天井支持部材を少なくとも含む。第１の天井支持部材と第２の天井支持部材とを上面からみた場合、これらは略平行四辺形、好ましくは略長方形の尺長領域を構成し、この領域において尺長天井板を支持する。
【００１６】
第１の天井支持部材は、図４（ｂ）に示すような露出係止部を有し、その露出係止部の片側上で、グラスウール天井板を支持し、もう片方の露出係止部上で照明器具を支持することができる。また、第２の天井支持部材も露出係止部を有し、その両側上で、グラスウール天井板を支持する。なお、露出係止部は、天井支持部材の中央に位置している必要はない。第１の天井支持部材及び第２の天井支持部材はそれぞれ独立した形状を有していてもよく、特に第１の天井支持部材については、固定する照明器具等の形状を考慮して、係止部の位置、形状等を適宜変更することができる。また、図４（ａ）及び（ｂ）においては、天井支持部材の下側部分（露出係止部）のみが表示されているが、天井支持部材の上側部分の形状については、本発明において特に限定されない。すなわち、本発明においては、天井支持部材の上側部分が、下側部分の板（露出係止部）と実質的に平行で、かつ例えば同等の幅の板を有する、いわゆる従来より知られているＨバー形状であってもよく、また従来より知られているＴバー形状であってもよい。
【００１７】
本発明では、ライン型天井構造体が、略平行四辺形、特に略長方形の尺長天井板を用いることに着目して、図１（ａ）に示すように、天井板の短辺と照明器具とを支持する第１の天井支持部材（１１）の露出係止部（１１ａ）の幅を比較的大きくし、かつ天井板の長辺を支持する第２の天井支持部材（２１）の露出係止部（２１ａ）の幅を比較的小さくした。
【００１８】
したがって、本発明においては、尺長天井板（１）の短辺を、第１の天井支持部材の大きな係止部で十分に支持しながら、その代わりに第２の天井支持部材の係止部を細くして尺長天井板（３１）の長辺は比較的簡単に支持する構成となっている。これは、揺れが発生した際に、図５（ａ）のように天井板の長手方向の揺れが比較的大きくなり、短手方向の揺れは、図５（ｂ）のように比較的小さくなるため、天井板の長辺さえしっかりと固定しておけば天井板の崩落をかなりの程度で防ぐことができるという点と、照明器具と略平行に延びる第１の天井支持部材の露出係止部については外観上で問題視されにくい点とに、本発明者らが初めて着目し、初めて見出した構成である。
【００１９】
すなわち、本発明の構成によれば、外観上で問題視されやすい第２の天井支持部材の露出係止部を細くすることで、意匠上の課題を最小化しながら、天井板の崩落を防ぐことができる。既存の耐震工事を行う際には、この程度の意匠上の課題は、顧客から問題視されないことが多く、本発明の構成は特に有利となる。
【００２０】
具体的には、本発明で用いる第２の天井支持部材及び第１の天井支持部材を、特定の間隔の比及び／又は特定の間隔の寸法で並べ、かつこれらの露出係止部の幅を、特定の比及び／又は特定の寸法とする。
【００２１】
すなわち、略平行に並んでいる第１の天井支持部材と第２の天井支持部材間とが形成する尺長領域は、その短辺と長辺との比が、１：１．１〜１：１０であり、好ましくは１：１．２〜１：５、より好ましくは１：１．５〜１：３．３である。なお、この尺長領域の寸法を測る場合には、露出係止部の中心線を基準とする。
【００２２】
特に、尺長領域の長辺の長さ（第１の天井支持部材間の平均距離）は、９００ｍｍ以上４０００ｍｍ以下、好ましくは１２００ｍｍ以上３５００ｍｍ以下、より好ましくは１５００ｍｍ以上３０００ｍｍ以下の範囲であり、尺長領域の短辺の長さ（第２の天井支持部材間の平均距離）は、３００ｍｍ以上１５００ｍｍ以下、好ましくは５００ｍｍ以上１２００ｍｍ以下、より好ましくは８００ｍｍ以上１０００ｍｍ以下の範囲である。第１の天井支持部材及び第２の天井支持部材の間隔は、上記の比を満たすようにして、これらの長さから選択される。
【００２３】
また、尺長領域の長辺の長さと短辺の長さとの好ましい組合せとしては、短辺及び長辺の長さがそれぞれ、３００ｍｍ〜１４００ｍｍ及び１２００ｍｍ〜５０００ｍｍの範囲、５００ｍｍ〜１４００ｍｍ及び１５００ｍｍ〜４０００ｍｍの範囲、又は７００ｍｍ〜１２００ｍｍ及び１３００ｍｍ〜３０００ｍｍの範囲を挙げることができる。この場合、当然に長辺は短辺よりも長い寸法が選択される。
【００２４】
また、第２の天井支持部材の露出係止部である第２の露出係止部の幅と、第１の天井支持部材の露出係止部である第１の露出係止部の幅との比は、１：１．１〜１：１０であり、好ましくは１：１．２〜１：５、より好ましくは１：１．５〜１：３である。なお、この幅の寸法は、露出係止部の長さに渡っての平均値である。
【００２５】
特に、第１の露出係止部の幅は、１５ｍｍ以上８０ｍｍ以下、好ましくは２０ｍｍ以上６０ｍｍ未満、より好ましくは２５ｍｍ以上４０ｍｍ未満の範囲であり、第２の露出係止部の幅は、６ｍｍ以上３０ｍｍ未満、好ましくは８ｍｍ以上２０ｍｍ未満、より好ましくは１０ｍｍ以上１５ｍｍ未満の範囲である。
【００２６】
また、第２の露出係止部の幅と第１の露出係止部の幅との好ましい組合せとしては、それぞれの幅が、６ｍｍ〜１９ｍｍ及び２０ｍｍ〜５０ｍｍの範囲、１０ｍｍ〜１９ｍｍ及び２０ｍｍ〜４０ｍｍの範囲、又は１０ｍｍ〜１５ｍｍ及び２０ｍｍ〜３０ｍｍの範囲を挙げることができる。
【００２７】
さらに第１の天井支持部材及び／又は第２の天井支持部材は、図５に示すように、尺長天井板（３）を突き刺して固定できる、突刺固定部（１ｂ）を有していてもよい。これにより尺長天井板をより強固に天井支持部材に固定することができる。図６に示すように、この突刺固定部（１ｂ）は、第１の天井支持部材（１１）と第２（２１）の天井支持部材とを互いに固定するための固定部材（１ｃ）に用いられる連結具、例えばビス（１ｄ）の一部であってもよい。なお、図６では、突刺固定部（１ｂ）を表示させるために手前側の天井板を省略して表示している。また、この実施態様においては、第１の天井支持部材（１１）は、その上側部分に、下側部分の露出係止部（１１ａ）のような板を有さないＴバー形状となっている。一方、第２の天井支持部材（２１）は、上側部分の板が、下側部分の露出係止部（２１ａ）の板とが実質的に平行で同等の幅を有するＨバー形状となっているが、第１の露出係止部と同様にＴバー形状を有しているものであってもよい。
【００２８】
（グラスウール天井板）
本発明で用いる尺長天井板は、塩化ビニル、ガラス不織布等の表面仕上げ材を随意に有するグラスウール天井板である。この天井板尺長天井板は、略平行四辺形であり、好ましくは略長方形である。尺長天井板の寸法は、天井支持部材によって形成される上記の尺長領域とおおよそ一致する。
【００２９】
この天井板は非常に軽く、その密度は３０ｋｇ／ｍ３以上１００ｋｇ／ｍ３以下、好ましくは３２ｋｇ／ｍ３以上９６ｋｇ／ｍ３以下、より好ましくは４０ｋｇ／ｍ３以上９６ｋｇ／ｍ３以下の範囲である。これは、従来用いられているロックウール天井板の密度が最小でも４００ｋｇ／ｍ３程度であることを考慮すれば、非常に軽量であることがわかる。このように軽量なグラスウール天井板を用いた場合、たとえ天井板が高い場所から崩落した場合であっても、その下にいる人又は物の受ける損傷が非常に小さいことが分かっている（参照：「天井等の非構造材の落下防止事故ガイドライン」、日本建築学会、平成２６年３月１９日検索、インターネット＜ＵＲＬ：http://news-sv.aij.or.jp/tokubetsu/s21/20130304.pdf＞）。したがって、本発明の構成は、耐震性が高いだけではなく、仮に崩落した場合であっても被害が少ないために有益である。例えば、本発明の天井構造体は、床からの高さが順に好ましくは２．５ｍ以上、２．７ｍ以上、３．０ｍ以上、４．０ｍ以上、又は５．０ｍ以上であっても、本質的に安全な構造であるといえる。
【００３０】
なお、本発明で用いる天井板の厚みは、好ましくは１０ｍｍ以上１００ｍｍ以下、より好ましくは１２ｍｍ以上５０ｍｍ以下、さらに好ましくは１５ｍｍ以上３０ｍｍ以下である。
【００３１】
このような天井板を用いる本発明のライン型天井構造体によれば、仮に天井が崩落したとしても、下にいる人又は物に損傷を与える可能性が低い。同様に、このようなライン型天井構造体では軽量であるために、吊りボルト、ブレース材、及びこれらの連結具の構成を単純化することができる。
【００３２】
（随意の構成部材）
本発明の天井構造体は、図７に示すような、吊りボルト（５）、ブレース材（６）、及びこれらの連結具（７）をさらに含んでもよい。これらを含むことで、天井構造体は、吊り天井となる。連結具としては、公知の連結具、例えば特開２０１１−１４０７４９号公報に記載の連結具を用いることができる。
【００３３】
上記の通り、本発明の天井構造体で用いる天井板は非常に軽いために、吊りボルト、ブレース材、及びこれらの連結具の構成を単純化することができる。
【００３４】
国土交通省は、建築基準法施行令に基づく告示７７１号を２０１３年８月１５日に公布し、特定天井の基準を設けて、その新たな耐震基準を最大２．２Ｇとしている。特定天井とは、居室等の日常立ち入る場所に設けられた吊り天井であって、高さが６ｍを超え、水平投影面積が２００平方メートルを超え、かつ天井面の構成部材等の１平方メートル当たりの単位面積質量が２キログラムを超えるものをいう。したがって、高さが２〜３ｍ程度であるオフィスビル等の天井ではこの基準は関係がないが、この基準は東日本大震災の規模の地震が起きた場合であっても天井が崩落しないための基準を定めているものであり、オフィスビルの耐震工事又は耐震設計においても、この基準が参考にされる。
【００３５】
具体的には、上記の国土交通省告示７７１号の基準を満たすように、本発明の天井構造体を構成する場合、すなわち２．２Ｇの水平震度を与えても天井板が崩落しないように天井構造体を構成する場合、ブレース材は、１８ｍ２／組以上（１００ｍ２の天井当たりブレース材５．５６組以下）、好ましくは２０ｍ２／組以上（１００ｍ２の天井当たりブレース材５組以下）、より好ましくは２２ｍ２／組以上（１００ｍ２の天井当たりブレース材４．５５組以下）、さらに好ましくは２３ｍ２／組以上（１００ｍ２の天井当たりブレース材４．３５組以下）程度しか必要がない。
【００３６】
さらに驚くべき事に、このような天井構造体では、間仕切り（パーティション）を設置したとしても、耐震性に大きな影響が出ないことが分かった。
【００３７】
本発明者らが検討したところ、従来のロックウール天井板及び図４（ａ）のような天井支持部材を用いて構成した天井構造体を用いた吊り天井では、一定の荷重の間仕切りを設置したところ、耐震性が３０％程度低下した。すなわち、間仕切りのない状態で、吊りボルト、ブレース材、及び連結具を適切に用いて構成した、ロックウール天井板の天井構造体では、水平震度３．５Ｇまで天井板が落下しなかったが、間仕切りを設置した状態では、水平震度が２．４Ｇ超で天井板が落下した。
【００３８】
それに対して、本発明の天井板を用いた天井構造体では、一定の荷重の間仕切りを設置したとしても、耐震性の低下は８％程度であった。すなわち、グラスウール天井板を用いた本発明の天井構造体は、上記の試験で用いた吊りボルト、ブレース材、及び連結具よりも大幅に簡素化して、間仕切りのない状態で水平震度２．５Ｇまで天井板の落下がなく、間仕切りを設置した状態でも水平震度２．３Ｇまで天井板の落下がなかった。
【００３９】
すなわち、本発明の吊り天井は、間仕切りの設置を行う場合を考慮しても、吊りボルト、ブレース材、及び連結具等の構成を非常に簡単にすることができるため有利である。
【符号の説明】
【００４０】
１１、１２、１３    第１の天井支持部材
２１、２２、２３    第２の天井支持部材
１２ａ、２２ａ    挿入係止部
１１ａ、２１ａ、１３ａ、２３ａ    露出係止部
１ｂ    突刺固定部
１ｃ    支持部材の固定部材
１ｄ    ビス
３１、３２、３３    尺長天井板
４１、４２、４３    照明器具
５    ブレース材
６    吊りボルト
７    連結具
１０    天井構造体
【図１】
2015187341.tif 000003
【図２】
2015187341.tif 000004
【図３】
2015187341.tif 000005
【図４】
2015187341.tif 000006
【図５】
2015187341.tif 000007
【図６】
2015187341.tif 000008
【図７】
2015187341.tif 000009